(57)【要約】記録装置（１）は、記録媒体（１００）から読み取られた読取信号中に含まれるランレングスが異なる複数種類のマークの信号成分及び複数種類のスペースの信号成分の出現頻度を検出する検出手段（２１）と、出現頻度の変化量に基づいて、読取信号から得られるジッタが有効であるか否かを判定する判定手段（２２）とを備える。
2009122565.tif 000002
【特許請求の範囲】
【請求項１】
記録媒体からデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出する検出手段と、
前記少なくとも１つの信号成分の出現頻度の変化量に基づいて、前記読取信号から得られるジッタが有効であるか否かを判定する判定手段と
を備えることを特徴とする記録装置。
【請求項２】
記録パワーを可変させながら前記記録媒体に試し書き用の前記データパターンを記録する記録手段を更に備え、
前記検出手段は、可変された前記記録パワー毎に、前記試し書き用のデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出し、
有効であると判定されたジッタに基づいて、前記記録手段が前記記録媒体に前記データパターンを記録する際に使用する最適記録パワーを算出する算出手段を更に備えることを特徴とする請求の範囲第１項に記載の記録装置。
【請求項３】
前記算出手段は、有効であると判定されたジッタであり且つ許容値以下のジッタが得られる前記試し書き用のデータパターンを記録した前記記録パワーの範囲であるパワーマージンの中心値を、前記最適記録パワーとして算出することを特徴とする請求の範囲第２項に記載の記録装置。
【請求項４】
前記検出手段は、ランレングスが最も短いマークの信号成分の出現頻度を検出し、
前記判定手段は、ランレングスが最も短いマークの信号成分の出現頻度の変化量に基づいて、前記読取信号から得られるジッタが有効であるか否かを判定することを特徴とする請求の範囲第１項に記載の記録装置。
【請求項５】
前記検出手段は、ランレングスが最も短いスペースの信号成分の出現頻度を検出し、
前記判定手段は、ランレングスが最も短いスペースの信号成分の出現頻度の変化量に基づいて、前記読取信号から得られるジッタが有効であるか否かを判定することを特徴とする請求の範囲第１項に記載の記録装置。
【請求項６】
前記判定手段は、前記出現頻度が所定の基準頻度に対して所定割合以上小さい場合に、前記読取信号から得られるジッタが有効でないと判定することを特徴とする請求の範囲第４項又は第５項に記載の記録装置。
【請求項７】
前記検出手段は、前記読取信号中に含まれるランレングスが相対的に長いスペースの信号成分の出現頻度を検出し、
前記判定手段は、ランレングスが相対的に長いスペースの信号成分の出現頻度の変化量に基づいて、前記読取信号から得られるジッタが有効であるか否かを判定することを特徴とする請求の範囲第１項に記載の記録装置。
【請求項８】
前記検出手段は、前記読取信号中に含まれるランレングスが最も長いスペースの信号成分の出現頻度を検出し、
前記判定手段は、ランレングスが最も長いスペースの信号成分の出現頻度の変化量に基づいて、前記読取信号から得られるジッタが有効であるか否かを判定することを特徴とする請求の範囲第１項に記載の記録装置。
【請求項９】
前記判定手段は、前記出現頻度が所定の基準頻度に対して所定割合以上大きい場合に、前記読取信号から得られるジッタが有効でないと判定することを特徴とする請求の範囲第７項又は第８項に記載の記録装置。
【請求項１０】
前記検出手段は、前記読取信号中に含まれ且つ規格により予め定められたランレングスとは異なる違反ランレングスのマーク及び前記違反ランレングスのスペースの少なくとも一方の信号成分の出現頻度を検出し、
前記判定手段は、前記違反ランレングスのマーク及び前記違反ランレングスのスペースの少なくとも一方の信号成分の出現頻度の変化量に基づいて、前記読取信号から得られるジッタが有効であるか否かを判定することを特徴とする請求の範囲第１項に記載の記録装置。
【請求項１１】
前記判定手段は、前記出現頻度が所定の基準頻度に対して所定割合以上大きい場合に、前記読取信号から得られるジッタが有効でないと判定することを特徴とする請求の範囲第１０項に記載の記録装置。
【請求項１２】
前記記録媒体上には、所定ランレングスのマーク及び前記所定ランレングスのスペースの夫々を略均等に含むシンクパターンが記録され、
前記検出手段は、前記読取信号中に含まれ且つ前記所定ランレングスのマークの信号成分及び前記読取信号中に含まれ且つ前記所定ランレングスのスペースの信号成分の夫々の出現頻度を検出し、
前記判定手段は、前記所定ランレングスのスペースの信号成分の出現頻度に対する、前記所定ランレングスのマークの信号成分の出現頻度の変化量に基づいて、前記読取信号から得られるジッタが有効であるか否かを判定することを特徴とする請求の範囲第１項に記載の記録装置。
【請求項１３】
前記読取信号の振幅レベルを所定の振幅制限値にて制限して振幅制限信号を取得すると共に、前記振幅制限信号に対して高域強調フィルタリング処理を行うことで等化補正信号を取得する振幅制限フィルタリング手段を更に備え、
前記判定手段は、前記等化補正信号中に含まれる前記少なくとも１つの信号成分の出現頻度に対する、前記読取信号中に含まれる少なくとも１つの信号成分の出現頻度の変化量に基づいて、前記読取信号から得られるジッタが有効であるか否かを判定することを特徴とする請求の範囲第１項に記載の記録装置。
【請求項１４】
記録媒体からデータパターンを読み取ることで得られる読取信号中に含まれるランレングスが異なる複数種類のマークの信号成分及び前記読取信号中に含まれるランレングスが異なる複数種類のスペースの信号成分のうちの少なくとも１つの信号成分の出現頻度を検出する検出工程と、
前記少なくとも１つの信号成分の出現頻度の変化量に基づいて、前記読取信号から得られるジッタが有効であるか否かを判定する判定工程と
を備えることを特徴とする記録方法。
【請求項１５】
記録媒体からデータパターンを読み取ることで得られる読取信号中に含まれるランレングスが異なる複数種類のマークの信号成分及び前記読取信号中に含まれるランレングスが異なる複数種類のスペースの信号成分のうちの少なくとも１つの信号成分の出現頻度を検出する検出手段と、前記少なくとも１つの信号成分の出現頻度の変化量に基づいて、前記読取信号から得られるジッタが有効であるか否かを判定する判定手段とを備える記録装置に備えられたコンピュータを制御する記録制御用のコンピュータプログラムであって、
該コンピュータを、前記検出手段及び前記判定手段として機能させることを特徴とする再生制御用のコンピュータプログラム。
【発明の詳細な説明】
【技術分野】
【０００１】
本発明は、例えば記録媒体に対してデータパターンの記録を行う記録装置及び方法、並びにコンピュータをこのような記録装置として機能させるコンピュータプログラムの技術分野に関する。
【背景技術】
【０００２】
このような記録装置として、ＣＤやＤＶＤやＢｌｕ−ｒａｙ  Ｄｉｓｃ等の光ディスク等の記録媒体に対してレーザ光を照射してデータパターンの記録を行う機器が各種実現されている。このような記録装置では、記録媒体上のトラックに対してレーザ光を照射することで、マーク及びスペースから構成されるデータパターンを記録媒体上に記録している。これにより、データパターンの記録を行うことができる。【０００３】
このような記録装置では、記録用のレーザ光の記録パワーや記録パルス幅等の調整が行われる。例えば特許文献１に開示された構成では、記録パワーを変化させながら試し書き用のデータパターンを記録すると共に、該記録されたデータパターンを再生することで得られるジッタに基づいて最適な記録パワーを算出している。また、特許文献２に開示された構成では、記録パワーを変化させながら試し書き用のデータパターンを記録すると共に、該記録されたデータパターンを再生することで得られるジッタやアシンメトリやエラーレートやエンベロープ波形の変化等に基づいて最適な記録パワーを算出している。また、特許文献３に開示された構成では、記録媒体上に記録されるデータパターン中の各符号の出現確率と、該データパターンを再生することで得られる再生信号中の各符号の出現確率との差分が小さくなるように、記録用のレーザ光のパワーやパルス幅等の調整を行っている。【０００４】
【特許文献１】特開２００２−７４６６８号公報
【特許文献２】特開２０００−２５１２５４号公報
【特許文献３】特開２００７−２４２１４９号公報
【発明の開示】
【発明が解決しようとする課題】
【０００５】
しかしながら、ジッタに基づくパワーの調整では、必ずしも最適な記録パワーを求めることができるとは限らないということが、本願発明者等の研究によって明らかにされている。例えば、記録パワーを変化させながら試し書き用のデータパターンを記録する構成では、相対的に高い記録パワーから相対的に低い記録パワーに渡って記録パワーを変化させる必要がある。このため、相対的に低い記録パワーでデータパターンを記録した場合には、記録媒体に与えられるエネルギー量が絶対的に不足するため、ランレングスが相対的に短いマークを記録することが困難になってしまいかねない。その結果、例えば本来ランレングスが２Ｔないしは３Ｔとなるように記録されるべきマークが、ランレングスが２Ｔないしは３Ｔ未満のマークとして記録されてしまいかねない。この場合、再生時には、ランレングスが２Ｔないしは３Ｔ未満のマークの信号成分が、ゼロレベル（或いは、２値化スライスレベル）と交わらなくなりかねない。その結果、ランレングスが２Ｔないしは３Ｔ未満のマークがジッタの算出に寄与しなくなり、ジッタを悪化させることはなくなる。従って、本来であればジッタが悪化しているはずの記録パワーであるにも関わらず、良好なジッタが得られているかのように認識されてしまう。従って、上述した特許文献１や特許文献２に開示された構成では、いわば信頼性が低いジッタをも参照して記録パワーの調整を行うため、必ずしも最適な記録パワーを求めることができるとは限らないという技術的な問題点を含んでいる。【０００６】
また、最適な記録パワーの算出時に限らず、本来であればジッタが悪化しているはずのデータが記録されているにも関わらず、該データの再生時に良好なジッタが得られているかのように認識されてしまうことは、良好な記録動作又は再生動作という観点からは好ましいとは言い難い。【０００７】
本発明は、例えば上述した従来の問題点に鑑みなされたものであり、例えば記録媒体に記録されるデータパターンのジッタが有効であるか否かを好適に判定することができる記録装置及び方法、並びにコンピュータプログラムを提供することを課題とする。
【課題を解決するための手段】
【０００８】
上記課題を解決するために、本発明の記録装置は、記録媒体からデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出する検出手段と、前記少なくとも１つの信号成分の出現頻度の変化量に基づいて、前記読取信号から得られるジッタが有効であるか否かを判定する判定手段とを備える。【０００９】
上記課題を解決するために、本発明の記録方法は、記録媒体からデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出する検出工程と、前記少なくとも１つの信号成分の出現頻度の変化量に基づいて、前記読取信号から得られるジッタが有効であるか否かを判定する判定工程とを備える。【００１０】
上記課題を解決するために、本発明のコンピュータプログラムは、記録媒体からデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出する検出手段と、前記少なくとも１つの信号成分の出現頻度の変化量に基づいて、前記読取信号から得られるジッタが有効であるか否かを判定する判定手段とを備える記録装置に備えられたコンピュータを制御する記録制御用のコンピュータプログラムであって、該コンピュータを、前記検出手段及び前記判定手段として機能させる。【００１１】
本発明の作用及び他の利得は次に説明する実施の形態から明らかにされよう。
【図面の簡単な説明】
【００１２】
【図１】本実施例に係る記録再生装置の基本構成を概念的に示すブロック図である。
【図２】本実施例に係る記録再生装置の動作の流れを概念的に示すフローチャートである。
【図３】ＯＰＣパターンの記録動作を概念的に示す模式図である。
【図４】各マーク及び各スペースの基準頻度を示す表である。
【図５】ジッタ及び最短マークの出現頻度の夫々と記録パワーとの相関関係を示すグラフである。
【図６】様々な記録パワーで記録されたデータパターンを再生することで得られる読取信号の状態を、２値化スライスレベルと共に示すグラフである。
【図７】正常な記録パワー及び相対的に低い記録パワーで記録される各マーク及び各スペースの出現頻度を示す図である。
【図８】正常な記録パワー及び相対的に低い記録パワーで記録されるスペースの出現頻度を示すグラフである。
【図９】正常な記録パワー及び相対的に低い記録パワーで記録されるマークの出現頻度を示すグラフである。
【図１０】正常な記録パワー及び相対的に低い記録パワーで記録されるシンクパターン中のランレングスが９Ｔのマーク及びランレングスが９Ｔのスペースの夫々の出現頻度の差を示すグラフである。
【図１１】変形例に係る記録再生装置の構成を概念的に示すブロック図である。
【符号の説明】
【００１３】
１、２  記録再生装置
１０  スピンドルモータ
１１  ピックアップ
１２  ＨＰＦ
１３  Ａ／Ｄ変換器
１４  プリイコライザ
１５  リミットイコライザ
１６  ２値化回路
１７  復号回路
２１  Ｔ頻度検出回路
２２  信頼性判定回路
２３  ジッタ検出回路
２４  ＯＰＣ処理回路
２５  ＣＰＵ
【発明を実施するための最良の形態】
【００１４】
以下、発明を実施するための最良の形態として、本発明の記録装置及び方法、並びにコンピュータプログラムに係る実施形態の説明を進める。【００１５】
（記録装置の実施形態）
本発明の記録装置に係る実施形態は、記録媒体からデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出する検出手段と、前記少なくとも１つの信号成分の出現頻度の変化量に基づいて、前記読取信号から得られるジッタが有効であるか否かを判定する判定手段とを備える。【００１６】
本発明の記録装置に係る実施形態によれば、検出手段の動作により、複数種類のマークの信号成分及び複数種類のスペースの信号成分のうちの少なくとも１つの信号成分の出現頻度が検出される。例えば記録媒体がＤＶＤである場合には、ランレングスが３Ｔから１１Ｔ及び１４Ｔとなるマークが、「複数種類のマーク」の一例としてあげられる。同様に、例えば記録媒体がＢｌｕ−ｒａｙ  Ｄｉｓｃである場合には、ランレングスが２Ｔから９Ｔとなるマークが、「複数種類のマーク」の一例としてあげられる。同様に、例えば記録媒体がＤＶＤである場合には、ランレングスが３Ｔから１１Ｔ及び１４Ｔとなるスペースが、「複数種類のスペース」の一例としてあげられる。同様に、例えば記録媒体がＢｌｕ−ｒａｙ  Ｄｉｓｃである場合には、ランレングスが２Ｔから９Ｔとなるスペースが、「複数種類のスペース」の一例としてあげられる。【００１７】
その後、判定手段の動作により、検出手段により検出された出現頻度の変化量（例えば、出現頻度の変化量そのものや、所定の基準頻度に対する変化量や、所定の基準頻度との差分や、所定の基準頻度に対する大小関係や、所定の基準頻度に対する比率や、所定の基準頻度に対する乖離率等）に基づいて、読取信号から得られるジッタが有効であるか否かが判定される。つまり、検出手段により出現頻度が検出された少なくとも１つの信号成分を含む読取信号から得られるジッタが有効であるか否か（言い換えれば、信頼できるか否か）が判定される。ここで、「基準頻度」は、典型的には、例えば予め定められた固定値を示していてもよいし、正常な記録動作が行われた場合の複数種類のマーク及び複数種類のスペースの夫々の出現頻度等を示していてもよい。【００１８】
ここで、データパターンを記録するときの記録パワーによっては、上述したように本来意図しているランレングスのマークを記録することができなくなってしまいかねない。例えば、データパターンを記録するときの記録パワーが相対的に低い場合には、記録媒体に照射されるレーザ光のエネルギー不足に起因して、例えば本来ランレングスがｍｉｎＴ（但し、“ｍｉｎＴ”は、記録媒体の規格によって予め定められた最短ランレングスを示す）のマークとして記録すべきマークが、ランレングスがｍｉｎＴ未満のマークとして記録されてしまいかねない。このランレングスがｍｉｎＴ未満のマークが記録されることは、再生時に、このランレングスがｍｉｎＴ未満のマークと合わせてランレングスがｍｉｎＴ未満のスペースが読み取られることにもつながる。更に、再生時には、ランレングスがｍｉｎＴ未満のマーク又はスペースの信号成分が振幅方向にシフトすることで、ゼロレベル（或いは、２値化スライスレベル）と交わらなくなりかねない。その結果、本来所定ランレングスのマーク及びスペースとして記録されているデータパターンが、一連のスペースとして再生されてしまうことにつながる。このようなスペースが、他のランレングスのマークやスペースとつながってしまうと、他のランレングスのマークやスペースのランレングスをも変動させてしまう。他方で、この場合、ランレングスがｍｉｎＴ未満のマーク又はスペースの信号成分がゼロレベル（或いは、２値化スライスレベル）と交わらなくなるため、読取信号のジッタが悪化することはない。このため、本来意図した状態とは異なる状態でデータパターンが記録されているがゆえにジッタが悪化しているはずであるにも関わらず、実際の再生時に得られるジッタが良好な値を有していることになってしまう。しかるに、本実施形態によれば、上述した各マークの信号成分の出現頻度或いは各スペースの信号成分の出現頻度の変化量を考慮して、ジッタが有効であるか否かを判定することができる。つまり、ジッタそのものが良好な値を有している場合であっても、各マークの信号成分の出現頻度或いは各スペースの信号成分の出現頻度の変化量に基づいて、ジッタが有効であるか否か（つまり、信頼できるか否か）を判定することができる。【００１９】
このように、本実施形態に係る記録装置によれば、ジッタを検出する際には、ランレングスが異なる複数種類のマーク及び複数種類のスペースのうちの少なくとも１つの信号成分の出現頻度を参照することで、ジッタが有効であるか否かを好適に判定することができる。従って、ジッタそのものの値のみにとらわれることなく、記録媒体に記録されるデータパターンのジッタが有効であるか否かを好適に判定することができる。その結果、得られるジッタをそのまま記録処理又は再生処理に用いる構成と比較して、ジッタの検出精度を向上させることができる。【００２０】
本発明の記録装置に係る実施形態の一の態様では、記録パワーを可変させながら前記記録媒体に試し書き用の前記データパターンを記録する記録手段を更に備え、前記検出手段は、可変された前記記録パワー毎に、前記試し書き用のデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出し、有効であると判定されたジッタに基づいて、前記記録手段が前記記録媒体に前記データパターンを記録する際に使用する最適記録パワーを算出する算出手段を更に備える。【００２１】
この態様によれば、有効なジッタを選択的に参照して（言い換えれば、有効でないジッタを選択的に参照することなく）、最適記録パワーを算出することができる。従って、得られるジッタをそのまま参照して最適記録パワーを算出する構成と比較して、最適記録パワーを好適に又は高精度に算出することができる。【００２２】
上述の如く算出手段を備える記録装置の態様では、前記算出手段は、有効であると判定されたジッタであり且つ許容値以下のジッタが得られる前記読取信号に対応する前記試し書き用のデータパターンを記録した前記記録パワーの範囲であるパワーマージンの中心値を、前記最適記録パワーとして算出するように構成してもよい。【００２３】
このように構成すれば、有効なジッタを選択的に参照して（言い換えれば、有効でないジッタを選択的に参照することなく）、最適記録パワーを好適に算出することができる。【００２４】
本発明の記録装置の他の態様では、前記検出手段は、ランレングスが最も短いマークの信号成分の出現頻度を検出し、前記判定手段は、ランレングスが最も短いマークの信号成分の出現頻度の変化量に基づいて、前記読取信号から得られるジッタが有効であるか否かを判定する。【００２５】
この態様によれば、データパターンを記録するときの記録パワーが相対的に低いことに起因して顕著な影響を受けるランレングスが最も短いマーク（例えば記録媒体がＤＶＤである場合には、ランレングスが３Ｔのマークであり、例えば記録媒体がＢｌｕ−ｒａｙ  Ｄｉｓｃである場合には、ランレングスが２Ｔのマーク）の出現頻度に基づいて、ジッタが有効であるか否かを判定することができる。従って、ジッタが有効であるか否かをより高精度に或いはより容易に判定することができる。【００２６】
本発明の記録装置に係る実施形態の他の態様では、前記検出手段は、ランレングスが最も短いスペースの信号成分の出現頻度を検出し、前記判定手段は、ランレングスが最も短いスペースの信号成分の出現頻度の変化量に基づいて、前記読取信号から得られるジッタが有効であるか否かを判定する。【００２７】
この態様によれば、データパターンを記録するときの記録パワーが相対的に低いことに起因して顕著な影響を受けるランレングスが最も短いスペース（例えば記録媒体がＤＶＤである場合には、ランレングスが３Ｔのスペースであり、例えば記録媒体がＢｌｕ−ｒａｙ  Ｄｉｓｃである場合には、ランレングスが２Ｔのスペース）の出現頻度に基づいて、ジッタが有効であるか否かを判定することができる。従って、ジッタが有効であるか否かをより高精度に或いはより容易に判定することができる。【００２８】
上述の如くランレングスが最も短いマーク又はスペースの信号成分の出現頻度の変化量に基づいてジッタが有効であるか否かを判定する記録装置の態様では、前記判定手段は、前記出現頻度が所定の基準頻度に対して所定割合以上小さい場合に、前記読取信号から得られるジッタが有効でないと判定するように構成してもよい。【００２９】
上述したように、データパターンを記録するときの記録パワーが相対的に低いことに起因して、上述したように本来意図しているランレングスのマーク又はスペースを記録することができなくなってしまう。その結果、ランレングスが最も短いマーク又はスペースとして記録すべきマーク又はスペースが、ランレングスが更に短いマーク又はスペースとして記録されてしまいかねない。その結果、ランレングスが最も短いマーク又はスペースの出現頻度は減少する。他方で、このような場合にも、上述したようにジッタが悪化しない状態が生じ得る。従って、出現頻度が基準頻度に対して所定割合以上小さい場合にジッタが有効でないと判定することで、ジッタが有効であるか否かを好適に判定することができる。【００３０】
本発明の記録装置に係る実施形態の他の態様では、前記検出手段は、前記読取信号中に含まれるランレングスが相対的に長いスペースの信号成分の出現頻度を検出し、前記判定手段は、ランレングスが相対的に長いスペースの信号成分の出現頻度の変化量に基づいて、前記読取信号から得られるジッタが有効であるか否かを判定する。【００３１】
この態様によれば、ランレングスが最も短いマーク又はスペースの出現頻度が減少することに起因して出現頻度が変動し得る、ランレングスが相対的に長いスペース（例えば、記録媒体がＤＶＤであればランレングス７Ｔから１１Ｔ及び１４Ｔのスペースであり記録媒体がＢｌｕ−ｒａｙ  Ｄｉｓｃであればランレングス６Ｔから９Ｔのスペース）の信号成分の出現頻度に基づいて、ジッタが有効であるか否かを好適に判定することができる。【００３２】
本発明の記録装置に係る実施形態の他の態様では、前記検出手段は、前記読取信号中に含まれるランレングスが最も長いスペースの信号成分の出現頻度を検出し、前記判定手段は、ランレングスが最も長いスペースの信号成分の出現頻度の変化量に基づいて、前記読取信号から得られるジッタが有効であるか否かを判定する。【００３３】
この態様によれば、ランレングスが最も短いマーク又はスペースの出現頻度が減少することに起因して出現頻度が変動し得る、ランレングスが最も長いスペース（例えば、記録媒体がＤＶＤであればランレングスが１１Ｔ又は１４Ｔのスペースであり記録媒体がＢｌｕ−ｒａｙ  Ｄｉｓｃであればランレングスが８Ｔ又は９Ｔのスペース）の信号成分の出現頻度に基づいて、ジッタが有効であるか否かを好適に判定することができる。【００３４】
上述の如くランレングスが相対的に若しくは最も長いスペースの信号成分の出現頻度の変化量に基づいてジッタが有効であるか否かを判定する記録装置の態様では、前記判定手段は、前記出現頻度が所定の基準頻度に対して所定割合以上大きい場合に、前記読取信号から得られるジッタが有効でないと判定するように構成してもよい。【００３５】
上述したように、データパターンを記録するときの記録パワーが相対的に低いことに起因して、上述したように本来意図しているランレングスのマーク又はスペースを記録することができなくなってしまう。その結果、ランレングスが最も短いマーク又はスペースとして記録すべきマーク又はスペースが、ランレングスが更に短いマーク又はスペースとして記録されてしまいかねない。これに起因して、再生時には、ランレングスが更に短いスペースが、ランレングスが相対的に長いスペースと一体的につながったデータパターンとして扱われてしまいかねない。その結果、ランレングスが相対的に若しくは最も長いスペースの出現頻度は増大する。他方で、このような場合にも、上述したようにジッタが悪化しない状態が生じ得る。従って、出現頻度が基準頻度に対して所定割合以上大きい場合にジッタが有効でないと判定することで、ジッタが有効であるか否かを好適に判定することができる。【００３６】
本発明の記録装置に係る実施形態の他の態様では、前記検出手段は、前記読取信号中に含まれ且つ規格により予め定められたランレングスとは異なる違反ランレングスのマーク及び前記違反ランレングスのスペースの少なくとも一方の信号成分の出現頻度を検出し、前記判定手段は、前記違反ランレングスのマーク及び前記違反ランレングスのスペースの少なくとも一方の信号成分の出現頻度の変化量に基づいて、前記読取信号から得られるジッタが有効であるか否かを判定する。【００３７】
この態様によれば、ランレングスが最も短い（或いは、最も長い）マーク又はスペースとして記録すべきマーク又はスペースが、ランレングスが更に短い又は更に長い（つまり、違反ランレングスであって、例えば、記録媒体がＤＶＤであればランレングスが２Ｔ以下、１２Ｔ、１３Ｔ又は１５Ｔ以上であり、記録媒体がＢｌｕ−ｒａｙ  Ｄｉｓｃであればランレングスが１Ｔ以下又は１０Ｔ以上）マーク又はスペースとして記録されてしまいかねないことを考慮して、ジッタが有効であるか否かを好適に判定することができる。【００３８】
上述の如く違反ランレングスのマーク及びスペースの少なくとも一方の信号成分の出現頻度の変化量に基づいてジッタが有効であるか否かを判定する記録装置の態様では、前記判定手段は、前記出現頻度が所定の基準頻度に対して所定割合以上大きい場合に、前記読取信号から得られるジッタが有効でないと判定するように構成してもよい。【００３９】
上述したように、データパターンを記録するときの記録パワーが相対的に低いことに起因して、上述したように本来意図しているランレングスのマーク又はスペースを記録することができなくなってしまう。その結果、違反ランレングスのマーク又はスペースの出現頻度は増大する。他方で、このような場合にも、上述したようにジッタが悪化しない状態が生じ得る。従って、出現頻度が基準頻度に対して所定割合以上大きい場合にジッタが有効でないと判定することで、ジッタが有効であるか否かを好適に判定することができる。【００４０】
本発明の記録装置に係る実施形態の他の態様では、前記記録媒体上には、所定ランレングスのマーク及び前記所定ランレングスのスペースの夫々を略均等に含むシンクパターンが記録され、前記検出手段は、前記読取信号中に含まれ且つ前記所定ランレングスのマークの信号成分及び前記読取信号中に含まれ且つ前記所定ランレングスのスペースの信号成分の夫々の出現頻度を検出し、前記判定手段は、前記所定ランレングスのマークの信号成分の出現頻度の、前記所定ランレングスのスペースの信号成分の出現頻度に対する変化量に基づいて、前記読取信号から得られるジッタが有効であるか否かを判定する。【００４１】
シンクパターンは、正常な記録動作が行われた場合に所定ランレングスのマーク及び所定ランレングスのスペースの夫々を略均等に含む一方で、データパターンを記録するときの記録パワーが相対的に低いことに起因して本来意図しているランレングスのマーク又はスペースを記録することができなくなってしまう場合には、所定ランレングスのマーク及び所定ランレングスのスペースの夫々を不均等に含み得る。従って、この態様によれば、シンクパターンを読み取ることで、ジッタが有効であるか否かを好適に判定することができる。【００４２】
本発明の記録装置に係る実施形態の他の態様では、前記読取信号の振幅レベルを所定の振幅制限値にて制限して振幅制限信号を取得すると共に、前記振幅制限信号に対して高域強調フィルタリング処理を行うことで等化補正信号を取得する振幅制限フィルタリング手段を更に備え、前記判定手段は、前記等化補正信号中に含まれる前記少なくとも１つの信号成分の出現頻度に対する、前記読取信号中に含まれる少なくとも１つの信号成分の出現頻度の変化量に基づいて、前記読取信号から得られるジッタが有効であるか否かを判定する。【００４３】
この態様によれば、振幅制限フィルタリング手段の動作により、読取信号の振幅レベルが制限される。具体的には、読取信号のうち振幅レベルが振幅制限値の上限よりも大きい又は下限より小さい信号成分は、振幅レベルが振幅制限値の上限又は下限に制限される。他方、読取信号のうち振幅レベルが振幅制限値の上限以下且つ下限以上である信号成分は、振幅レベルが制限されることはない。このように振幅レベルの制限が施された読取信号（つまり、振幅制限信号）に対して高域強調フィルタリング処理が更に行われる。その結果、等化補正信号が取得される。【００４４】
これにより、等化補正信号中に含まれるランレングスが相対的に又は最も短いマーク又はスペースの振幅が強調される。その結果、等化補正信号中に含まれる各マーク又は各スペースの出現頻度を、本来の出現頻度に近づけることができる。従って、読取信号中に含まれる各マーク又は各スペースの出現頻度と、等化補正信号中に含まれる各マーク又は各スペースの出現頻度とを比較することで、ジッタが有効であるか否かを好適に判定することができる。【００４５】
特に、予め基準頻度をテーブル等の形式で持つ必要がないため、多種多様な記録媒体或いは未知の記録媒体に対しても、上述した動作を行うことができる。従って、多種多様な記録媒体或いは未知の記録媒体においても、ジッタが有効であるか否かを好適に判定することができる。【００４６】
（記録方法の実施形態）
本発明の記録方法に係る実施形態は、記録媒体からデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出する検出工程と、前記少なくとも１つの信号成分の出現頻度の変化量に基づいて、前記読取信号から得られるジッタが有効であるか否かを判定する判定工程とを備える。【００４７】
本発明の記録方法に係る実施形態によれば、上述した本発明の記録装置に係る実施形態が享受することができる各種効果と同様の効果を享受することができる。【００４８】
尚、上述した本発明の記録装置に係る実施形態における各種態様に対応して、本発明の記録方法に係る実施形態も各種態様を採ることが可能である。【００４９】
（コンピュータプログラムの実施形態）
本発明のコンピュータプログラムに係る実施形態は、記録媒体からデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出する検出手段と、前記少なくとも１つの信号成分の出現頻度の変化量に基づいて、前記読取信号から得られるジッタが有効であるか否かを判定する判定手段とを備える記録装置（即ち、上述した本発明の記録装置に係る実施形態（但し、その各種態様を含む））に備えられたコンピュータを制御する記録制御用のコンピュータプログラムであって、該コンピュータを、前記検出手段及び前記判定手段として機能させる。【００５０】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の記録装置に係る実施形態を比較的簡単に実現できる。【００５１】
尚、上述した本発明の記録装置に係る実施形態における各種態様に対応して、本発明のコンピュータプログラムに係る実施形態も各種態様を採ることが可能である。【００５２】
本発明のコンピュータプログラム製品に係る実施形態は、記録媒体からデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出する検出手段と、前記少なくとも１つの信号成分の出現頻度の変化量に基づいて、前記読取信号から得られるジッタが有効であるか否かを判定する判定手段とを備える記録装置（即ち、上述した本発明の記録装置に係る実施形態（但し、その各種態様を含む））に備えられたコンピュータにより実行可能なプログラム命令を明白に具現化し、該コンピュータを、前記検出手段及び前記判定手段として機能させる。【００５３】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の記録装置に係る実施形態を比較的容易に実施可能となる。更に具体的には、当該コンピュータプログラム製品は、上述した本発明の記録装置に係る実施形態として機能させるコンピュータ読取可能なコード（或いはコンピュータ読取可能な命令）から構成されてよい。【００５４】
尚、上述した本発明の記録装置に係る実施形態における各種態様に対応して、本発明のコンピュータプログラム製品に係る実施形態も各種態様を採ることが可能である。【００５５】
本実施形態のこのような作用及び他の利得は次に説明する実施例から更に明らかにされよう。【００５６】
以上説明したように、本発明の記録装置に係る実施形態によれば、検出手段と、判定手段とを備える。本発明の記録方法に係る実施形態によれば、検出工程と、判定工程とを備える。本発明のコンピュータプログラムに係る実施形態によれば、コンピュータを本発明の記録装置に係る実施形態として機能させる。従って、記録媒体に記録されるデータパターンのジッタが有効であるか否かを好適に判定することができる。
【実施例】
【００５７】
以下、本発明の実施例を図面に基づいて説明する。【００５８】
（１）  記録再生装置の構成
初めに、図１を参照して、本発明の記録再生装置に係る実施例について説明を進める。ここに、図１は、本実施例に係る記録再生装置の基本構成を概念的に示すブロック図である。【００５９】
図１に示すように、本実施例に係る記録再生装置１は、スピンドルモータ１０と、ピックアップ（ＰＵ：Pick Up）１１と、ＨＰＦ（High Pass Filter）１２と、Ａ／Ｄ変換器１３と、プリイコライザ（Pre Equalizer）１４と、２値化回路１６と、復号回路１７と、Ｔ頻度検出回路２１と、信頼性判定出回路２２と、ジッタ検出回路２３と、ＯＰＣ（Optimum Power Control）回路２４と、ＣＰＵ（Central Processing Unit）２５とを備えている。【００６０】
ピックアップ１１は、再生時には、スピンドルモータ１０によって回転する光ディスク１００の記録面にレーザ光ＬＢを照射した際の反射光を光電変換して読取信号ＲＲＦを生成する。また、記録時には、ＣＰＵ２５の制御の下に、記録されるデータパターンに応じてレーザ光ＬＢを変調しながら、該レーザ光ＬＢを光ディスク１００の記録面に照射する。【００６１】
ＨＰＦ１２は、ピックアップより出力される読取信号ＲＲＦの低域成分を除去し、その結果得られる読取信号ＲＨＣをＡ／Ｄ変換器１３へ出力する。【００６２】
Ａ／Ｄ変換器１３は、不図示のＰＬＬ（Phased Lock Loop）等から出力されるサンプリングクロックに応じて読取信号ＲＨＣをサンプリングし、その結果得られる読取サンプル値系列ＲＳをプリイコライザ１４へ出力する。【００６３】
プリイコライザ１４は、ピックアップ１１及び光ディスク１００から構成される情報読取系の伝送特性に基づく符号間干渉を除去し、その結果得られる読取サンプル値系列ＲＳＣを２値化回路１６及びジッタ回路２３の夫々へ出力する。【００６４】
２値化回路１６は、読取サンプル値系列ＲＳＣに対して２値化処理を行い、その結果得られる２値化信号を復号回路１７及びＴ頻度検出回路２１の夫々へ出力する。【００６５】
復号回路１７は、２値化信号に対して復号処理等を行い、その結果得られる再生信号を、ディスプレイやスピーカ等の外部再生機器へ出力する。その結果、光ディスク１００に記録されたデータパターン（例えば、映像データや音声データ等）が再生される。【００６６】
Ｔ頻度検出回路２１は、本発明における「検出手段」の一具体例を構成しており、２値化信号中に含まれるマーク及びスペースの出現頻度を、ランレングス毎に検出する。例えば、光ディスク１００がＤＶＤである場合には、Ｔ頻度検出回路２１は、ランレングスが３Ｔから１１Ｔ及び１４Ｔのマーク及びランレングスが３Ｔから１１Ｔ及び１４Ｔのスペースの夫々の出現頻度を検出する。或いは、例えば、光ディスク１００がＢｌｕ−ｒａｙ  Ｄｉｓｃである場合には、Ｔ頻度検出回路２１は、ランレングスが２Ｔから９Ｔのマーク及びランレングスが２Ｔから９Ｔのスペースの夫々の出現頻度を検出する。【００６７】
信頼性判定回路２２は、本発明における「判定手段」の一具体例を構成しており、Ｔ頻度検出回路２１により検出された各マーク及び各スペースの出現頻度に基づいて、ジッタ検出回路２３において検出されるジッタが信頼できる値であるか否か（言い換えれば、有効な値であるか否か）を判定する。【００６８】
ジッタ検出回路２３は、読取サンプル値系列ＲＳＣからジッタを検出する。検出されたジッタは、ＣＰＵ２５へ出力される。【００６９】
ＯＰＣ処理回路２４は、本発明における「記録手段」の一具体例を構成しており、記録時のレーザ光ＬＢの最適記録パワーを算出するために、記録パワーを変化させながら光ディスク１００に対してＯＰＣパターンを記録するようにピックアップ１１を制御する。【００７０】
ＣＰＵ２５は、記録再生装置１全体の動作を制御する。また、ＣＰＵ２５は、本発明における「算出手段」の一具体例を構成しており、ＯＰＣ処理回路２４により記録されたＯＰＣパターンを再生することでジッタ検出回路２３から出力されるジッタ及び信頼性判定回路２２の判定結果に基づいて、記録時のレーザ光ＬＢの最適記録パワーを算出する。【００７１】
（２）  再生装置の動作
続いて、図２を参照して、本実施例に係る記録再生装置１の動作について説明する。ここに、図２は、本実施例に係る記録再生装置１の動作の流れを概念的に示すフローチャートである。【００７２】
図２に示すように、ＯＰＣ処理回路２４の動作により、光ディスク１００にＯＰＣパターンが記録される（ステップＳ１０１）。ここで、ＯＰＣパターンの記録について、図３を参照しながら詳細な説明を加える。ここに、図３は、ＯＰＣパターンの記録動作を概念的に示す模式図である。【００７３】
まず、ＯＰＣ処理回路２４による制御下で、ピックアップ１１が光ディスク１００上のＰＣＡ（Power Control Area）へ移動される。そして、順次段階的に（例えば、図３では、相互に異なる１６段階に）レーザ光ＬＢの記録パワーが切り換えられて、ＯＰＣパターンがＰＣＡに記録される。ＯＰＣパターンとしては、例えばランレングスが３Ｔから１１Ｔ及び１４Ｔのマーク及びスペースの組み合わせから構成されるランダムパターン（光ディスク１００がＤＶＤの場合）又はランレングスが２Ｔから９Ｔのマーク及びスペースの組み合わせから構成されるランダムパターン（光ディスク１００がＢｌｕ−ｒａｙ  Ｄｉｓｃの場合）が一つの例として挙げられる。図３では、段階的に切り替えられる記録パワー毎に、共通のＯＰＣパターンを記録する態様を一具体例として示している。もちろん、段階的に切り替えられる記録パワー毎に、異なるＯＰＣパターンを用いるように構成してもよい。【００７４】
再び図２において、続いて、ステップＳ１０１において記録されたＯＰＣパターンが再生される（ステップＳ１０２）。つまり、ピックアップ１１により読取信号ＲＲＦが生成され、ＨＰＦ１２により読取信号ＲＲＦから読取信号ＲＨＣが生成され、Ａ／Ｄ変換器１３により読取信号ＲＨＣから読取サンプル値系列ＲＳが生成され、プリイコライザ１４により読取サンプル値系列ＲＳから読取サンプル値系列ＲＳＣが生成され、２値化回路１６により読取サンプル値系列ＲＳＣから２値化信号が生成される。【００７５】
続いて、ジッタ回路２３の動作により、ステップＳ１０１において記録されたＯＰＣパターンのジッタが検出される（ステップＳ１０３）。このようなジッタの検出が、段階的に切り替えられた記録パワー毎に、１回のＯＰＣ処理において記録されたＯＰＣパターンの回数に応じて行われる。その結果、段階的に切り替えられる記録パワー毎に、ＯＰＣパターンのジッタが検出される。検出されたジッタは、ＣＰＵ２５へ出力される。これにより、ＣＰＵ２５は、ジッタと記録パワーとの相関関係を認識することができる。【００７６】
ステップＳ１０３の処理に続いて又は並行して、Ｔ頻度検出回路２１の動作により、ＯＰＣパターンを再生することで得られる２値化信号中に含まれるマーク及びスペースの出現頻度（Ｔ頻度）が検出される（ステップＳ１０４）。このような出現頻度の検出が、段階的に切り替えられた記録パワー毎に、１回のＯＰＣ処理において記録されたＯＰＣパターンの回数に応じて行われる。その結果、段階的に切り替えられる記録パワー毎に、出現頻度が検出される。検出された出現頻度は、信頼性判定回路２２へ出力される。これにより、信頼性判定回路２２は、出現頻度と記録パワーとの相関関係を認識することができる。【００７７】
続いて、信頼性判定回路２２の動作により、出現頻度と記録パワーとの相関関係に基づいて、ステップＳ１０４において検出されたランレングスが最も短いマーク（以降、適宜“最短マーク”と称する）の出現頻度が、基準頻度（基準出現頻度）よりも所定割合以上小さくなる記録パワーに対応するジッタが、信頼性のないジッタとして判定される（ステップＳ１０５）。言い換えれば、最短マークの出現頻度が、基準頻度よりも所定割合以上小さくならない記録パワーに対応するジッタが、信頼性のあるジッタとして判定される。つまり、光ディスク１００がＤＶＤであれば、ランレングスが３Ｔのマークの出現頻度が、ランレングスが３Ｔのマークの基準頻度よりも所定割合以上小さくなる記録パワーに対応するジッタが、信頼性のないジッタとして設定される。他方で、ランレングスが３Ｔのマークの出現頻度が、ランレングスが３Ｔのマークの基準頻度よりも所定割合以上小さくならない記録パワーに対応するジッタが、信頼性のあるジッタとして設定される。同様に、光ディスク１００がＢｌｕ−ｒａｙ  Ｄｉｓｃであれば、ランレングスが２Ｔのマークの出現頻度が、ランレングスが２Ｔのマークの基準頻度よりも所定割合以上小さくなる記録パワーに対応するジッタが、信頼性のないジッタとして設定される。他方で、ランレングスが２Ｔのマークの出現頻度が、ランレングスが２Ｔのマークの基準頻度よりも所定割合以上小さくならない記録パワーに対応するジッタが、信頼性のあるジッタとして設定される。ここで判定されたジッタの信頼性は、ＣＰＵ２５へ出力される。その結果、ＣＰＵ２５は、いずれの記録パワーのジッタが信頼できるか否かを認識することができる。【００７８】
ここで、基準頻度は、相対的に高い記録パワーで所定のデータパターン又はランダムデータパターンを光ディスク１００上に記録した場合の各マーク及び各スペースの出現頻度であることが好ましい。この基準頻度は、例えば再生装置１が備えるメモリ等に予め格納されていてもよいし、光ディスク１００上に記録されていてもよいし、或いは記録再生装置１によって適宜生成されてもよい。従って、信頼性判定回路２２は、予め格納されている又は予め記録されている基準頻度を読み取ることで、ステップＳ１０５の判定動作を行うことが好ましい。【００７９】
また、所定割合としては、記録パワーの変化が最短マーク（或いは、ランレングスが相対的に短いマーク）の記録に与える影響や、記録パワーの変化がジッタに与える影響等を考慮しながら、実験的に、経験的に又はシミュレーション等を用いて、適切な値が予め定められることが好ましい。例えば、最短マークを好適に記録することができないほどに記録パワーが相対的に低い場合の各マーク及び各スペースの出現頻度の、基準頻度に対する割合が、所定の割合の一例としてあげられる。より具体的には、例えば、「５０％（或いは、数十％から百数十％）」が所定割合の一例としてあげられる。但し、所定割合がこれに限定されることはない。【００８０】
ここで、図４を参照して、各マーク及び各スペースの基準頻度について説明する。ここに、図４は、各マーク及び各スペースの基準頻度を示す表である。尚、図４では、光ディスク１００の一具体例として、ランレングスが３Ｔから１１Ｔ及び１４Ｔのマーク及びスペースを利用してデータパターンを記録しているＤＶＤと、ランレングスが２Ｔから９Ｔのマーク及びスペースを利用してデータパターンを記録しているＢｌｕ−ｒａｙ  Ｄｉｓｃとについて説明する。また、あるランレングスのマークは、同一ランレングスのスペースと組になって光ディスク１００上に記録されるため、図４においては、マーク及びスペースの夫々の出現頻度を共通の値として示す。【００８１】
図４（ａ）には、光ディスク１００の一具体例であるＤＶＤにランダムデータパターンを記録した場合の、２ＥＣＣブロック中の各ランレングスのマーク又はスペースの、ランレングスを考慮しない基準頻度（Ｔ出現確率）が示されている。図４（ａ）に示すように、ランレングスが３Ｔのマーク又はスペースの基準頻度は約３２％であり、ランレングスが４Ｔのマーク又はスペースの基準頻度は約２４％であり、ランレングスが５Ｔのマーク又はスペースの基準頻度は約１７％であり、ランレングスが６Ｔのマーク又はスペースの基準頻度は約１１．５％であり、ランレングスが７Ｔのマーク又はスペースの基準頻度は約７％であり、ランレングスが８Ｔのマーク又はスペースの基準頻度は約４％であり、ランレングスが９Ｔのマーク又はスペースの基準頻度は約２％であり、ランレングスが１０Ｔのマーク又はスペースの基準頻度は約１．３％であり、ランレングスが１１Ｔのマーク又はスペースの基準頻度は約０．２４％であり、ランレングスが１４Ｔのマーク又はスペースの基準頻度は約０．３％である。【００８２】
また、図４（ａ）には、光ディスク１００の一具体例であるＤＶＤにランダムデータパターンを記録した場合の、２ＥＣＣブロック中の各ランレングスのマーク又はスペースの、ランレングスを考慮した基準頻度（サンプル出現確率）が示されている。図４（ａ）に示すように、ランレングスが３Ｔのマーク又はスペースの基準頻度は約２０％であり、ランレングスが４Ｔのマーク又はスペースの基準頻度は約２０％であり、ランレングスが５Ｔのマーク又はスペースの基準頻度は約１８％であり、ランレングスが６Ｔのマーク又はスペースの基準頻度は約１５％であり、ランレングスが７Ｔのマーク又はスペースの基準頻度は約１１％であり、ランレングスが８Ｔのマーク又はスペースの基準頻度は約７．３％であり、ランレングスが９Ｔのマーク又はスペースの基準頻度は約４．５％であり、ランレングスが１０Ｔのマーク又はスペースの基準頻度は約２．９％であり、ランレングスが１１Ｔのマーク又はスペースの基準頻度は約０．５６％であり、ランレングスが１４Ｔのマーク又はスペースの基準頻度は約０．９４％である。【００８３】
図４（ｂ）には、光ディスク１００の一具体例であるＢｌｕ−ｒａｙ  Ｄｉｓｃにランダムデータパターンを記録した場合の、１ＥＣＣブロック中の各ランレングスのマーク又はスペースの、ランレングスを考慮しない基準頻度（Ｔ出現確率）が示されている。図４（ｂ）に示すように、ランレングスが２Ｔのマーク又はスペースの基準頻度は約３８％であり、ランレングスが３Ｔのマーク又はスペースの基準頻度は約２５％であり、ランレングスが４Ｔのマーク又はスペースの基準頻度は約１６％であり、ランレングスが５Ｔのマーク又はスペースの基準頻度は約１０％であり、ランレングスが６Ｔのマーク又はスペースの基準頻度は約６％であり、ランレングスが７Ｔのマーク又はスペースの基準頻度は約３％であり、ランレングスが８Ｔのマーク又はスペースの基準頻度は約１．６％であり、ランレングスが９Ｔのマーク又はスペースの基準頻度は約０．３５％である。【００８４】
また、図４（ｂ）には、光ディスク１００の一具体例であるＢｌｕ−ｒａｙ  Ｄｉｓｃにランダムデータパターンを記録した場合の、１ＥＣＣブロック中の各ランレングスのマーク又はスペースの、ランレングスを考慮した基準頻度（サンプル出現確率）が示されている。図４（ｂ）に示すように、ランレングスが２Ｔのマーク又はスペースの基準頻度は約２３％であり、ランレングスが３Ｔのマーク又はスペースの基準頻度は約２２％であり、ランレングスが４Ｔのマーク又はスペースの基準頻度は約１９％であり、ランレングスが５Ｔのマーク又はスペースの基準頻度は約１５％であり、ランレングスが６Ｔのマーク又はスペースの基準頻度は約１０％であり、ランレングスが７Ｔのマーク又はスペースの基準頻度は約６％であり、ランレングスが８Ｔのマーク又はスペースの基準頻度は約３．９％であり、ランレングスが９Ｔのマーク又はスペースの基準頻度は約０．９３％である。【００８５】
尚、ランレングスを考慮しない基準頻度とは、各ランレングスのマーク又はスペースの基準頻度を算出する際の重み付けが、各ランレングスにおいて同一である基準頻度である。つまり、あるランレングスのマーク又はスペースが１つ出現すれば、その出現回数が１回とカウントされる場合の基準頻度を示している。他方で、ランレングスを考慮した基準頻度とは、各ランレングスのマーク又はスペースの基準頻度を算出する際の重み付けが、ランレングスに依存する基準頻度である。つまり、あるランレングスのマーク又はスペースが１つ出現すれば、その出現回数がランレングスに応じた回数だけカウントされる場合の基準頻度を示している。このように２種類の基準頻度が存在することを考慮して、Ｔ頻度検出回路２１は、２種類の出現頻度（つまり、ランレングスを考慮しない出現頻度及びランレングスを考慮した出現頻度）の一方又は双方を検出することが好ましい。また、信頼性判定回路２２は、ランレングスを考慮しない出現頻度が、ランレングスを考慮しない基準頻度よりも所定割合以上小さくなる記録パワーに対応するジッタを、信頼性のないジッタとして判定することが好ましい。同様に、信頼性判定回路２２は、ランレングスを考慮した出現頻度が、ランレングスを考慮した基準頻度よりも所定割合以上小さくなる記録パワーに対応するジッタを、信頼性のないジッタとして判定することが好ましい。【００８６】
再び図２において、続いて、ＣＰＵ２５の動作により、ジッタ回路２３から出力されるジッタと記録パワーとの相関関係に基づいて、レーザ光ＬＢの最適記録パワーが算出される（ステップＳ１０６）。ここでは特に、ステップＳ１０５において信頼性があると判定されたジッタを選択的に用いて（言い換えれば、ステップＳ１０５において信頼性がないと判定されたジッタを選択的に用いることなく）、レーザ光ＬＢの最適記録パワーが算出される。【００８７】
その後、ピックアップ１１から最適記録パワーのレーザ光ＬＢが照射されることで、光ディスク１００に対するデータパターンの記録が行われる（ステップＳ１０７）。【００８８】
続いて、図２のステップＳ１０６におけるレーザ光ＬＢの最適記録パワーの算出動作について、図５及び図６を参照しながらより詳細に説明する。ここに、図５は、ジッタ及び最短マークの出現頻度の夫々と記録パワーとの相関関係を示すグラフであり、図６は、様々な記録パワーで記録されたデータパターンを再生することで得られる読取信号ＲＲＦの状態を、２値化スライスレベルと共に示すグラフである。尚、図５では、光ディスク１００としてＢｌｕ−ｒａｙ  Ｄｉｓｃを用いる例について説明する。【００８９】
図５に示すように、記録パワーが所定値（図５に示す例では、例えば６．０ｍＷ程度）以下の範囲では、記録パワーが減少するにつれて、最短マーク（つまり、ランレングスが２Ｔのマーク）の出現頻度が減少していく。他方で、最短マークの出現頻度が減少していくことは、ＯＰＣパターンの好適な記録ができていないとも言えるため、本来であれば、ジッタは、最短マークの出現頻度の減少に合わせて単調に増加していく（つまり、悪化していく）はずである。しかしながら、図５に示すように、ジッタは、最短マークの出現頻度の減少に合わせて単調に増加することはなく、途中ジッタが改善される部分が生ずる。この理由について、図６を用いて説明する。【００９０】
図６の左側に示すように、相対的に高い記録パワー（例えば、図５における５．８ｍＷ以上の記録パワー）でＯＰＣパターンを記録する場合には、最短マークを好適に記録することができる。従って、読取信号ＲＲＦに含まれる各マーク及び各スペースに対応する信号波形は、２値化スライスレベルと好適に交わる。従って、この状態の読取信号ＲＲＦの出現頻度は、大きく変動することはない。【００９１】
続いて、図６の中央に示すように、図６の左側における記録時の記録パワーよりも低い記録パワー（例えば、図５における５．０ｍＷから５．８ｍＷの記録パワー）でＯＰＣパターンを記録する場合には、本来意図しているランレングスの長さのマークを記録するために必要なエネルギーを、光ディスク１００の記録面に十二分に与えることができなくなってしまう。これは、特にランレングスが短いマークを記録する際に顕著になる。このため、例えば本来ランレングスが２Ｔのマークとして記録すべきマークが、ランレングスが１Ｔのマークとして記録されてしまいかねない。つまり、相対的に短いマークが記録されることになる。従って、図５における５．０ｍＷから５．８ｍＷ付近の領域に示すように、最短マークの出現頻度が小さくなる。加えて、この場合、読取信号ＲＲＦは、特に最短マークに対応する信号成分がスペースに相当する信号成分側（つまり、図６では上側）にシフトした状態の信号成分が得られる。この場合、最短マークに対応する信号成分のジッタが悪化することになる。その結果、図５における５．０ｍＷから５．８ｍＷ付近の領域に示すように、読取信号ＲＲＦ全体としてのジッタ（つまり、トータルジッタ）が悪化する。【００９２】
他方で、図６の右側に示すように、図６の中央における記録時の記録パワーよりも更に低い記録パワー（例えば、図５における５．０ｍＷ以下の記録パワー）でＯＰＣパターンを記録する場合には、例えば本来ランレングスが２Ｔのマークとして記録すべきマークが、ランレングスが１Ｔのマークとして記録される可能性がより一層高くなる。従って、図５における５．０ｍＷ以下の領域に示すように、最短マークの出現頻度がより一層小さくなる。加えて、この場合、読取信号ＲＲＦは、最短マークに対応する信号成分が２値化スライスレベルと交わらなくなるまで、最短マークに対応する信号成分がスペースに相当する信号成分側にシフトした状態の信号成分が得られる場合がある。この場合、最短マークに対応する信号成分のジッタは、読取信号ＲＲＦ全体としてのジッタの算出に寄与されなくなる。従って、図５における５．０ｍＷ以下の領域に示すように、読取信号ＲＲＦ全体としてのジッタが単調に悪化することはなくなる。つまり、一部の範囲（例えば、図５における４．５ｍＷから５．０ｍＷの記録パワーの範囲）で、再生時に得られるジッタが改善されてしまいかねない。【００９３】
仮にＯＰＣパターンを再生することで得られるジッタをそのまま用いて（言い換えれば、各マーク及び各スペースの出現頻度を考慮することなく）最適記録パワーを算出する構成では、本来の最適記録パワーとは異なる記録パワーが、最適記録パワーとして算出されてしまいかねない。具体的には、通常ジッタが許容値（例えば、１０％以下）となる記録パワーの範囲をパワーマージンに設定し、該パワーマージンの中心値を最適パワーとしている。このため、ＯＰＣパターンを再生することで得られるジッタをそのまま用いて最適記録パワーを算出する構成では、３．５ｍＷから６．４ｍＷがパワーマージンとして設定される。このため、４．９ｍＷが最適記録パワーとして算出される。しかしながら、上述したように、このようなパワーは、最短マークの記録を好適に行うことができない可能性があるため、必ずしも最適記録パワーになるとは限らない。【００９４】
しかるに、本実施例では、信頼性のない（つまり、無効な）ジッタを用いることなく最適記録パワーを算出している。具体的には、信頼性がある（つまり、有効な）ジッタであり且つジッタが許容範囲（例えば、１０％以下）となる記録パワーをパワーマージンと設定し、該パワーマージンの中心値を最適記録パワーとして算出している。従って、本実施例では、５．１ｍＷから６．５ｍＷがパワーマージンとして設定される。このため、５．８ｍＷが最適記録パワーとして算出される。【００９５】
このように、本実施例に係る記録再生装置１によれば、各マーク及び各スペースの出現頻度に基づいてジッタの信頼性（有効性）を判定すると共に、信頼性があるジッタを用いて（言い換えれば、信頼性がないジッタを用いることなく）最適記録パワーを算出しているこのため、最適記録パワーをより好適に算出することができる。【００９６】
尚、上述の説明では、最短マークの出現頻度に基づいてジッタの信頼性を判定する例について説明している。しかしながら、図７（ａ）及び図７（ｂ）に示すように、最短マークのみならず、ランレングスが最も短いスペースや他のランレングスのマーク又はスペースの出現頻度も、記録パワーに応じて変動し得る。ここに、図７（ａ）は、正常な記録パワー及び相対的に低い記録パワーで記録される各マークの出現頻度を示す図であり、図７（ｂ）は、正常な記録パワー及び相対的に低い記録パワーで記録される各スペースの出現頻度を示す図である。従って、ランレングスが最も短いスペースや他のランレングスのマーク又はスペースの出現頻度に基づいて、ジッタの信頼性を判定するように構成しても良い。例えば、相対的に低い記録パワーで記録されるランレングスが最も短いスペースの出現頻度は、正常な記録パワー（つまり、相対的に高い記録パワー）で記録されるランレングスが最も短いスペースの出現頻度（つまり、基準頻度）よりも小さくなり得る。従って、ランレングスが最も短いスペースの出現頻度が基準頻度よりも所定割合だけ小さい場合に、ジッタの信頼性がないと判定するように構成してもよい。また、相対的に低い記録パワーで記録されるランレングスが最も短いマーク又はスペース以外のマーク又はスペースの出現頻度は、正常な記録パワーで記録されるランレングスが最も短いマーク又はスペース以外のマーク又はスペースの出現頻度（つまり、基準頻度）よりも大きくなり得る。従って、ランレングスが最も短いマーク又はスペース以外のマーク又はスペースの出現頻度が基準頻度よりも所定割合だけ大きい場合に、ジッタの信頼性がないと判定するように構成してもよい。【００９７】
特に、このような相対的に低い記録パワーでデータパターンを記録する場合には、ランレングスが最も短いスペースの出現頻度の減少に起因して、ランレングスが相対的に又は最も長いスペースの出現頻度の変動が最も大きくなる。従って、ランレングスが相対的に又は最も長いスペースの出現頻度に基づいてジッタの信頼性を判定することが好ましい。ここで、図８を参照して、ランレングスが相対的に又は最も長いスペースの出現頻度について説明する。ここに、図８は、正常な記録パワー及び相対的に低い記録パワーの夫々により記録されるスペースの出現頻度を示すグラフである。尚、図８では、光ディスク１００としてＢｌｕ−ｒａｙ  Ｄｉｓｃを用いる例について説明する。【００９８】
図８に示すように、相対的に低い記録パワーで記録されるランレングスが最も長いスペース（つまり、ランレングスが９Ｔのスペース）の出現頻度は、正常な記録パワーで記録されるランレングスが最も長いスペースの出現頻度よりも大きくなり得る。これは、以下の理由によって生ずる。例えば本来ランレングスが２Ｔのマークとして記録すべきマークが、ランレングスが１Ｔのマークとして記録されてしまうことに起因して、再生時には、ゼロレベルを横切らなくなったランレングスが１Ｔのマークと前後のスペースがつながってしまうことで、ランレングスが９Ｔのスペースとして現れることになりかねない。【００９９】
従って、ランレングスが最も長いスペースの出現頻度が基準頻度よりも所定割合だけ大きい場合に、ジッタの信頼性がないと判定するように構成してもよい。このように、ランレングスが最も短いマークの出現頻度に依存して出現頻度が変動するランレングスが最も長いスペースに基づいてジッタの信頼性を判定しているため、高精度にないしは容易にジッタの信頼性を判定することができる。【０１００】
尚、図８に示すように、相対的に低い記録パワーでデータパターンを記録する場合には、規格で定められたランレングス（具体的には、２Ｔから９Ｔ）以外のランレングス（具体的には、１Ｔ又は１０Ｔ以上）のスペースが増加している。例えば、１０Ｔ以上のランレングスのスペースは、ランレングスの２Ｔのマークが、ランレングスが１Ｔのマークとして記録されてしまうことに起因して、スペースが他のスペースとつながることによって現れ得る。従って、規格で定められたランレングス以外のランレングスのスペースの出現頻度に基づいて、ジッタの信頼性を判定するように構成してもよい。この場合、規格上で定められたランレングス以外のランレングスのスペースの出現頻度が所定量以上である場合に、ジッタの信頼性がないと判定するように構成してもよい。【０１０１】
更に、規格で定められたランレングス以外のランレングスのスペースの出現頻度のみならず、規格で定められたランレングス以外のランレングスのマークの出現頻度についても同様のことが言える。ここで、規格で定められたランレングス以外のランレングスのマークの出現頻度について、図９を参照して説明する。ここに、図９は、正常な記録パワー及び相対的に低い記録パワーの夫々により記録されるマークの出現頻度を示すグラフである。尚、図９では、光ディスク１００としてＢｌｕ−ｒａｙ  Ｄｉｓｃを用いる例について説明する。【０１０２】
図９に示すように、相対的に低い記録パワーでデータパターンを記録する場合には、規格で定められたランレングス（具体的には、２Ｔから９Ｔ）以外のランレングス（具体的には、１Ｔ）のマークが増加している。従って、規格で定められたランレングス以外のランレングスのマークの出現頻度に基づいて、ジッタの信頼性を判定するように構成してもよい。この場合、規格上で定められたランレングス以外のランレングスのマークの出現頻度が所定量以上である場合に、ジッタの信頼性がないと判定するように構成してもよい。【０１０３】
また、光ディスク１００の一具体例たるＢｌｕ−ｒａｙ  Ｄｉｓｃでは、シンクパターン（同期パターン）として、ランレングスが９Ｔのマークとランレングスが９Ｔのスペースとを互いに交互に含むデータパターンを採用している。このシンクパターン中におけるランレングスが９Ｔのマーク及びランレングスが９Ｔのスペースの夫々の出現頻度に基づいて、ジッタの信頼性を判定するように構成してもよい。この例について、図１０を参照して説明する。ここに、図１０は、シンクパターン中のランレングスが９Ｔのマーク及びランレングスが９Ｔのスペースの夫々の出現頻度の差を示すグラフである。【０１０４】
図１０に示すように、正常な記録パワーでデータパターンを記録する場合には、シンクパターン中におけるランレングスが９Ｔのマーク及びランレングスが９Ｔのスペースの夫々の出現頻度は略同一となる。つまり、頻度差（＝ランレングスが９Ｔのマークの出現頻度−ランレングスが９Ｔのスペースの出現頻度）は概ね０となる。他方で、相対的に低い記録パワーでデータパターンを記録する場合には、シンクパターン中におけるランレングスが９Ｔのマーク及びランレングスが９Ｔのスペースの夫々の出現頻度は異なるものとなる。具体的には、例えば、ランレングスが２Ｔのマークが、ランレングスが１Ｔのマークとして記録されてしまうことに起因して、ランレングスが１Ｔのスペースが他のスペースとつながる場合には、ランレングスが９Ｔのスペースの出現頻度が、ランレングスが９Ｔのマークの出現頻度に対して増加し得る。また、例えば、ランレングスの２Ｔのマークが、ランレングスが１Ｔのマークとして記録されてしまうことに起因して、ランレングスが９Ｔのスペースが他のスペースとつながる場合には、ランレングスが９Ｔのスペースの出現頻度が、ランレングスが９Ｔのマークの出現頻度に対して減少し得る。【０１０５】
このように、シンクパターン中におけるランレングスが９Ｔのマークの出現頻度とランレングスが９Ｔのスペースの出現頻度との間に差異が生じた場合に、ジッタの信頼性がないと判定してもよい。つまり、頻度差（＝ランレングスが９Ｔのマークの出現頻度−ランレングスが９Ｔのスペースの出現頻度）が０でなくなる（より好ましくは、０から大きく乖離する）場合には、ジッタの信頼性がないと判定してもよい。これにより、ジッタの信頼性を好適に判定することができる。【０１０６】
（３）変形例
続いて、図１１を参照して、本実施例に係る記録再生装置１の変形例について説明する。ここに、図１１は、変形例に係る記録再生装置２の構成を概念的に示すブロック図である。尚、上述した記録再生装置１と同一の構成については、同一の参照符号を付してその詳細な説明については省略する。【０１０７】
図１１に示すように、変形例に係る記録再生装置２は、上述した記録再生装置１と同様に、スピンドルモータ１０と、ピックアップ（ＰＵ：Pick Up）１１と、ＨＰＦ（High Pass Filter）１２と、Ａ／Ｄ変換器１３と、プリイコライザ（Pre Equalizer）１４と、２値化回路１６と、復号回路１７と、Ｔ頻度検出回路２１と、信頼性判定出回路２２と、ジッタ検出回路２３と、ＯＰＣ（Optimum Power Control）回路２４と、ＣＰＵ（Central Processing Unit）２５とを備えている。【０１０８】
変形例に係る記録再生装置２は特に、プリイコライザ１４と２値化回路１６との間に、リミットイコライザ（Limit Equalizer）１５を備えている。リミットイコライザ１５は、本発明における「振幅制限フィルタリング手段」の一具体例を構成しており、符号間干渉を増加させることなく読取サンプル値系列ＲＳＣに対して高域強調処理を施し、その結果得られる高域強調読取サンプル値系列ＲＳＨを、２値化回路１６及びジッタ検出回路２３の夫々へ出力する。尚、リミットイコライザ１５の動作自体は、従来のリミットイコライザの動作と同一である。その詳細については、特許第３４５９５６３号等を参照されたい。【０１０９】
特に、リミットイコライザ１５は、そのオン・オフを任意に切り替えることが可能に構成されている。リミットイコライザ１５がオンとなっているときには、２値化回路１６及びジッタ検出回路２３の夫々には、高域強調読取サンプル値系列ＲＳＨが出力される一方で、リミットイコライザ１５がオフとなっているときには、２値化回路１６及びジッタ検出回路２３の夫々には、プリイコライザ１４の出力である読取サンプル値系列ＲＳＣが出力される。【０１１０】
更に、変形例では、Ｔ頻度検出回路２１は、リミットイコライザ１５がオンとなっている状態での出現頻度と、リミットイコライザ１５がオフとなっている状態での出現頻度との夫々を検出する。【０１１１】
ここで、リミットイコライザ１５がオンとなっている場合には、以下の処理が行われる。まず、読取信号ＲＲＦの振幅レベルが、所定の振幅制限値にて制限される。具体的には、読取信号ＲＲＦのうち振幅レベルが振幅制限値の上限よりも大きい又は下限より小さい信号成分は、振幅レベルが振幅制限値の上限又は下限に制限される。他方、読取信号ＲＲＦのうち振幅レベルが振幅制限値の上限以下且つ下限以上である信号成分は、振幅レベルが制限されることはない。このように振幅制限処理が行われることで、振幅制限信号ＲＬＩＭが生成される。振幅制限信号ＲＬＩＭに対して、高域強調フィルタリング処理が行われる。ここでの高域強調フィルタリング処理は、例えば、振幅制限信号ＲＬＩＭ中におけるランレングスが最も短いマーク又はスペースに対応する信号成分付近の信号レベルを増大させる処理である。その結果、高域強調読取サンプル値系列ＲＳＨが生成される。【０１１２】
このように、ランレングスが最も短いマーク又はスペースの信号成分が強調されるため、仮に記録パワーが相対的に低いことに起因してランレングスが最も短いマークに対応する信号成分が２値化スライスレベルと交わらなくない状態（図６の右側の図参照）でデータパターンが記録されていたとしても、この信号成分が２値化スライスレベルと交わる状態（図６の左側の図参照）となるようにデータパターンを再生することができる。つまり、正常な記録パワーで記録されるランレングスが最も短いマーク又はスペースの信号成分をリミットイコライザ１５から出力することができる。【０１１３】
従って、変形例においては、信頼性判定回路２２は、リミットイコライザ１５がオンとなっている状態で検出された出現頻度を、上述した基準頻度として用いる。つまり、信頼性判定回路２２は、リミットイコライザ１５がオフとなっている状態で検出された出現頻度が、リミットイコライザ１５がオンとなっている状態で検出された出現頻度よりも大きい若しくは小さい又は所定割合だけ大きい若しくは所定割合だけ小さいか否かを判定することで、ジッタの信頼性を判定する。【０１１４】
これにより、変形例に係る記録再生装置２においても、上述した記録再生装置１が享受することができる各種効果を好適に享受することができる。加えて、上述した基準頻度を示すテーブル等を予め格納しておく必要がないため、基準頻度が設定されていない光ディスク１００或いは未知の光ディスク１００に対しても、上述した出現頻度に基づくジッタの信頼性の判定動作を行うことができる。【０１１５】
本発明は、上述した実施例に限られるものではなく、請求の範囲及び明細書全体から読み取れる発明の要旨或いは思想に反しない範囲で適宜変更可能であり、そのような変更を伴う記録装置及び方法、並びにコンピュータプログラムもまた本発明の技術的範囲に含まれるものである。
【図１】
2009122565.tif 000003
【図２】
2009122565.tif 000004
【図３】
2009122565.tif 000005
【図４】
2009122565.tif 000006
【図５】
2009122565.tif 000007
【図６】
2009122565.tif 000008
【図７】
2009122565.tif 000009
【図８】
2009122565.tif 000010
【図９】
2009122565.tif 000011
【図１０】
2009122565.tif 000012
【図１１】
2009122565.tif 000013
【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
記録媒体からデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出する検出手段と、
前記少なくとも１つの信号成分の出現頻度の変化量に基づいて、前記読取信号から得られるジッタが有効であるか否かを判定する判定手段と、
記録パワーを可変させながら前記記録媒体に試し書き用の前記データパターンを記録する記録手段と、
有効であると判定されたジッタに基づいて、前記記録手段が前記記録媒体に前記データパターンを記録する際に使用する最適記録パワーを算出する算出手段と
を備え、
前記検出手段は、可変された前記記録パワー毎に、前記試し書き用のデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出し、
前記判定手段は、前記出現頻度が、前記記録パワーが相対的に高くかつ前記可変された記録パワー毎に前記試し書き用のデータパターンを記録した場合における前記少なくとも１つの信号成分におけるマーク及びスペースの信号成分の基準頻度よりも所定割合以上小さくならない記録パワーに対応するジッタを有効なジッタであると判定する
ことを特徴とする記録装置。
【請求項２】
（削除）
【請求項３】
（削除）
【請求項４】
前記検出手段は、ランレングスが最も短いマークの信号成分の出現頻度を検出し、
前記判定手段は、ランレングスが最も短いマークの信号成分の出現頻度の変化量に基づいて、前記読取信号から得られるジッタが有効であるか否かを判定することを特徴とする請求の範囲第１項に記載の記録装置。
【請求項５】
前記検出手段は、ランレングスが最も短いスペースの信号成分の出現頻度を検出し、
前記判定手段は、ランレングスが最も短いスペースの信号成分の出現頻度の変化量に基づいて、前記読取信号から得られるジッタが有効であるか否かを判定することを特徴とする請求の範囲第１項に記載の記録装置。
【請求項６】
前記判定手段は、前記出現頻度が所定の基準頻度に対して所定割合以上小さい場合に、前記読取信号から得られるジッタが有効でないと判定することを特徴とする請求の範囲第４項又は第５項に記載の記録装置。
【請求項７】
前記検出手段は、前記読取信号中に含まれるランレングスが相対的に長いスペースの信号成分の出現頻度を検出し、
前記判定手段は、ランレングスが相対的に長いスペースの信号成分の出現頻度の変化量に基づいて、前記読取信号から得られるジッタが有効であるか否かを判定することを特徴とする請求の範囲第１項に記載の記録装置。
【請求項８】
前記検出手段は、前記読取信号中に含まれるランレングスが最も長いスペースの信号成分の出現頻度を検出し、
前記判定手段は、ランレングスが最も長いスペースの信号成分の出現頻度の変化量に基づいて、前記読取信号から得られるジッタが有効であるか否かを判定することを特徴とする請求の範囲第１項に記載の記録装置。
【請求項９】
前記判定手段は、前記出現頻度が所定の基準頻度に対して所定割合以上大きい場合に、前記読取信号から得られるジッタが有効でないと判定することを特徴とする請求の範囲第７項又は第８項に記載の記録装置。
【請求項１０】
前記検出手段は、前記読取信号中に含まれ且つ規格により予め定められたランレングスとは異なる違反ランレングスのマーク及び前記違反ランレングスのスペースの少なくとも一方の信号成分の出現頻度を検出し、
前記判定手段は、前記違反ランレングスのマーク及び前記違反ランレングスのスペースの少なくとも一方の信号成分の出現頻度の変化量に基づいて、前記読取信号から得られるジッタが有効であるか否かを判定することを特徴とする請求の範囲第１項に記載の記録装置。
【請求項１１】
前記判定手段は、前記出現頻度が所定の基準頻度に対して所定割合以上大きい場合に、前記読取信号から得られるジッタが有効でないと判定することを特徴とする
請求の範囲第１０項に記載の記録装置。
【請求項１２】
前記記録媒体上には、所定ランレングスのマーク及び前記所定ランレングスのスペースの夫々を略均等に含むシンクパターンが記録され、
前記検出手段は、前記読取信号中に含まれ且つ前記所定ランレングスのマークの信号成分及び前記読取信号中に含まれ且つ前記所定ランレングスのスペースの信号成分の夫々の出現頻度を検出し、
前記判定手段は、前記所定ランレングスのスペースの信号成分の出現頻度に対する、前記所定ランレングスのマークの信号成分の出現頻度の変化量に基づいて、前記読取信号から得られるジッタが有効であるか否かを判定することを特徴とする請求の範囲第１項に記載の記録装置。
【請求項１３】
前記読取信号の振幅レベルを所定の振幅制限値にて制限して振幅制限信号を取得すると共に、前記振幅制限信号に対して高域強調フィルタリング処理を行うことで等化補正信号を取得する振幅制限フィルタリング手段を更に備え、
前記判定手段は、前記等化補正信号中に含まれる前記少なくとも１つの信号成分の出現頻度に対する、前記読取信号中に含まれる少なくとも１つの信号成分の出現頻度の変化量に基づいて、前記読取信号から得られるジッタが有効であるか否かを判定することを特徴とする請求の範囲第１項に記載の記録装置。
【請求項１４】
記録媒体からデータパターンを読み取ることで得られる読取信号中に含まれるランレングスが異なる複数種類のマークの信号成分及び前記読取信号中に含まれるランレングスが異なる複数種類のスペースの信号成分のうちの少なくとも１つの信号成分の出現頻度を検出する検出工程と、
前記少なくとも１つの信号成分の出現頻度の変化量に基づいて、前記読取信号から得られるジッタが有効であるか否かを判定する判定工程と、
記録パワーを可変させながら前記記録媒体に試し書き用の前記データパターンを記録する記録工程と、
有効であると判定されたジッタに基づいて、前記記録手段が前記記録媒体に前記データパターンを記録する際に使用する最適記録パワーを算出する算出工程と
を備え、
前記検出工程は、可変された前記記録パワー毎に、前記試し書き用のデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出し、
前記判定工程は、前記出現頻度が、前記記録パワーが相対的に高くかつ前記可変された記録パワー毎に前記試し書き用のデータパターンを記録した場合における前記少なくとも１つの信号成分におけるマーク及びスペースの信号成分の基準頻度よりも所定割合以上小さくならない記録パワーに対応するジッタを有効なジッタであると判定する
ことを特徴とする記録方法。
【請求項１５】
記録媒体からデータパターンを読み取ることで得られる読取信号中に含まれるランレングスが異なる複数種類のマークの信号成分及び前記読取信号中に含まれるランレングスが異なる複数種類のスペースの信号成分のうちの少なくとも１つの信号成分の出現頻度を検出する検出手段と、前記少なくとも１つの信号成分の出現頻度の変化量に基づいて、前記読取信号から得られるジッタが有効であるか否かを判定する判定手段と、記録パワーを可変させながら前記記録媒体に試し書き用の前記データパターンを記録する記録手段と、有効であると判定されたジッタに基づいて、前記記録手段が前記記録媒体に前記データパターンを記録する際に使用する最適記録パワーを算出する算出手段とを備え、前記検出手段は、可変された前記記録パワー毎に、前記試し書き用のデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出し、前記判定手段は、前記出現頻度が、前記記録パワーが相対的に高くかつ前記可変された記録パワー毎に前記試し書き用のデータパターンを記録した場合における前記少なくとも１つの信号成分におけるマーク及びスペースの信号成分の基準頻度よりも所定割合以上小さくならない記録パワーに対応するジッタを有効なジッタであると判定する記録装置に備えられたコンピュータを制御する記録制御用のコンピュータプログラムであって、
該コンピュータを、前記検出手段、前記判定手段、前記記録手段及び前記算出手段として機能させることを特徴とする再生制御用のコンピュータプログラム。
【請求項１６】
記録媒体からデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出する検出手段と、
前記少なくとも１つの信号成分の出現頻度の変化量に基づいて、前記読取信号から得られるジッタが有効であるか否かを判定する判定手段と、
記録パワーを可変させながら前記記録媒体に試し書き用の前記データパターンを記録する記録手段と、
有効であると判定されたジッタに基づいて、前記記録手段が前記記録媒体に前記データパターンを記録する際に使用する最適記録パワーを算出する算出手段と
を備え、
前記検出手段は、可変された前記記録パワー毎に、前記試し書き用のデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出し、
前記算出手段は、有効であると判定されたジッタであり且つ許容値以下のジッタが得られる前記試し書き用のデータパターンを記録した前記記録パワーの範囲であるパワーマージンの中心値を、前記最適記録パワーとして算出する
ことを特徴とする記録装置。
【請求項１７】
記録媒体からデータパターンを読み取ることで得られる読取信号中に含まれるランレングスが異なる複数種類のマークの信号成分及び前記読取信号中に含まれるランレングスが異なる複数種類のスペースの信号成分のうちの少なくとも１つの信号成分の出現頻度を検出する検出工程と、
前記少なくとも１つの信号成分の出現頻度の変化量に基づいて、前記読取信号から得られるジッタが有効であるか否かを判定する判定工程と、
記録パワーを可変させながら前記記録媒体に試し書き用の前記データパターンを記録する記録工程と、
有効であると判定されたジッタに基づいて、前記記録工程が前記記録媒体に前記データパターンを記録する際に使用する最適記録パワーを算出する算出工程と
を備え、
前記検出工程は、可変された前記記録パワー毎に、前記試し書き用のデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出し、
前記算出工程は、有効であると判定されたジッタであり且つ許容値以下のジッタが得られる前記試し書き用のデータパターンを記録した前記記録パワーの範囲であるパワーマージンの中心値を、前記最適記録パワーとして算出する
ことを特徴とする記録方法。
【請求項１８】
記録媒体からデータパターンを読み取ることで得られる読取信号中に含まれるランレングスが異なる複数種類のマークの信号成分及び前記読取信号中に含まれるランレングスが異なる複数種類のスペースの信号成分のうちの少なくとも１つの信号成分の出現頻度を検出する検出手段と、前記少なくとも１つの信号成分の出現頻度の変化量に基づいて、前記読取信号から得られるジッタが有効であるか否かを判定する判定手段と、記録パワーを可変させながら前記記録媒体に試し書き用の前記データパターンを記録する記録手段と、有効であると判定されたジッタに基づいて、前記記録手段が前記記録媒体に前記データパターンを記録する際に使用する最適記録パワーを算出する算出手段とを備え、前記検出手段は、可変された前記記録パワー毎に、前記試し書き用のデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出し、前記算出手段は、有効であると判定されたジッタであり且つ許容値以下のジッタが得られる前記試し書き用のデータパターンを記録した前記記録パワーの範囲であるパワーマージンの中心値を、前記最適記録パワーとして算出する記録装置に備えられたコンピュータを制御する記録制御用のコンピュータプログラムであって、
該コンピュータを、前記検出手段、前記判定手段、前記記録手段及び前記算出手段として機能させることを特徴とする記録制御用のコンピュータプログラム。
【手続補正書】
【提出日】平成22年9月8日(2010.9.8)
【手続補正１】
【補正対象書類名】特許請求の範囲
【補正対象項目名】全文
【補正方法】変更
【補正の内容】
【特許請求の範囲】
【請求項１】
記録媒体からデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出する検出手段と、
前記少なくとも１つの信号成分の出現頻度の変化量に基づいて、前記読取信号から得られるジッタが有効であるか否かを判定する判定手段と、
記録パワーを可変させながら前記記録媒体に試し書き用の前記データパターンを記録する記録手段と、
有効であると判定されたジッタに基づいて、前記記録手段が前記記録媒体に前記データパターンを記録する際に使用する最適記録パワーを算出する算出手段と
を備え、
前記検出手段は、可変された前記記録パワー毎に、前記試し書き用のデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出し、
前記判定手段は、前記出現頻度が、前記記録パワーが相対的に高くかつ前記可変された記録パワー毎に前記試し書き用のデータパターンを記録した場合における前記少なくとも１つの信号成分におけるマーク及びスペースの信号成分の基準頻度よりも所定割合以上小さくならない記録パワーに対応するジッタを有効なジッタであると判定する
ことを特徴とする記録装置。
【請求項２】
前記検出手段は、ランレングスが最も短いマークの信号成分の出現頻度を検出し、
前記判定手段は、ランレングスが最も短いマークの信号成分の出現頻度の変化量に基づいて、前記読取信号から得られるジッタが有効であるか否かを判定することを特徴とする請求項１に記載の記録装置。
【請求項３】
前記検出手段は、ランレングスが最も短いスペースの信号成分の出現頻度を検出し、
前記判定手段は、ランレングスが最も短いスペースの信号成分の出現頻度の変化量に基づいて、前記読取信号から得られるジッタが有効であるか否かを判定することを特徴とする請求項１に記載の記録装置。
【請求項４】
前記判定手段は、前記出現頻度が所定の基準頻度に対して所定割合以上小さい場合に、前記読取信号から得られるジッタが有効でないと判定することを特徴とする請求項２又は３に記載の記録装置。
【請求項５】
記録媒体からデータパターンを読み取ることで得られる読取信号中に含まれるランレングスが異なる複数種類のマークの信号成分及び前記読取信号中に含まれるランレングスが異なる複数種類のスペースの信号成分のうちの少なくとも１つの信号成分の出現頻度を検出する検出工程と、
前記少なくとも１つの信号成分の出現頻度の変化量に基づいて、前記読取信号から得られるジッタが有効であるか否かを判定する判定工程と、
記録パワーを可変させながら前記記録媒体に試し書き用の前記データパターンを記録する記録工程と、
有効であると判定されたジッタに基づいて、前記記録手段が前記記録媒体に前記データパターンを記録する際に使用する最適記録パワーを算出する算出工程と
を備え、
前記検出工程は、可変された前記記録パワー毎に、前記試し書き用のデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出し、
前記判定工程は、前記出現頻度が、前記記録パワーが相対的に高くかつ前記可変された記録パワー毎に前記試し書き用のデータパターンを記録した場合における前記少なくとも１つの信号成分におけるマーク及びスペースの信号成分の基準頻度よりも所定割合以上小さくならない記録パワーに対応するジッタを有効なジッタであると判定する
ことを特徴とする記録方法。
【請求項６】
記録媒体からデータパターンを読み取ることで得られる読取信号中に含まれるランレングスが異なる複数種類のマークの信号成分及び前記読取信号中に含まれるランレングスが異なる複数種類のスペースの信号成分のうちの少なくとも１つの信号成分の出現頻度を検出する検出手段と、前記少なくとも１つの信号成分の出現頻度の変化量に基づいて、前記読取信号から得られるジッタが有効であるか否かを判定する判定手段と、記録パワーを可変させながら前記記録媒体に試し書き用の前記データパターンを記録する記録手段と、有効であると判定されたジッタに基づいて、前記記録手段が前記記録媒体に前記データパターンを記録する際に使用する最適記録パワーを算出する算出手段とを備え、前記検出手段は、可変された前記記録パワー毎に、前記試し書き用のデータパターンを読み取ることで得られる読取信号中に含まれ且つランレングスが異なる複数種類のマークの信号成分及び前記読取信号中に含まれ且つランレングスが異なる複数種類のスペースの信号成分のうちの少なくとも１つの信号成分の出現頻度を検出し、前記判定手段は、前記出現頻度が、前記記録パワーが相対的に高くかつ前記可変された記録パワー毎に前記試し書き用のデータパターンを記録した場合における前記少なくとも１つの信号成分におけるマーク及びスペースの信号成分の基準頻度よりも所定割合以上小さくならない記録パワーに対応するジッタを有効なジッタであると判定する記録装置に備えられたコンピュータを制御する記録制御用のコンピュータプログラムであって、
該コンピュータを、前記検出手段、前記判定手段、前記記録手段及び前記算出手段として機能させることを特徴とするコンピュータプログラム。
【国際調査報告】
2009122565.tif 000014
2009122565.tif 000015
2009122565.tif 000016
2009122565.tif 000017